(57)【要約】  液晶表示パネル（５９）を有する表示装置（６９）のバックライトユニット（４９）は、シャーシ（４１）及びそれに支持される拡散板（４３）と、シャーシ上の実装基板（２１）に支持される点状光源を備える。点状光源は実装基板に実装されたＬＥＤ（２２）からなる。複数枚の実装基板をコネクタ（２５）で接続して実装基板列（２６）を構成し、実装基板列を複数列、並列に配置する。実装基板列は長短２枚の実装基板で構成され、長短２枚の実装基板の配置が逆転している実装基板列が混在していることから、実装基板列が並ぶ方向におけるコネクタの位置は、直線的に揃っていない。
2011004623.tif 000002
【特許請求の範囲】
【請求項１】
照明装置であって、以下を特徴とするもの：
拡散板と、前記拡散板を支持するシャーシと、前記シャーシ上に配置され、それぞれが複数の点状光源を支持する複数の実装基板により構成される光源とを含み、
複数枚の前記実装基板がコネクタで接続されて実装基板列が構成され、
前記実装基板列が複数列、並列に配置され、
前記実装基板列が並ぶ方向における前記コネクタの位置は直線的に揃っていない。
【請求項２】
請求項１の照明装置であって、以下を特徴とするもの：
前記シャーシは平面形状が矩形であり、前記実装基板列は前記シャーシの長手方向と平行に配置されている。
【請求項３】
請求項１の照明装置であって、以下を特徴とするもの：
前記実装基板は長手方向を有する形状であり、複数枚の前記実装基板が長手方向に整列せしめられて前記実装基板列が構成される。
【請求項４】
請求項３の照明装置であって、以下を特徴とするもの：
長短２枚の前記実装基板により前記実装基板列が構成され、
前記長短２枚の実装基板の配置が逆転している実装基板列が混在せしめられる。
【請求項５】
請求項３の照明装置であって、以下を特徴とするもの：
前記複数の点状光源は、前記実装基板の長手方向と平行な直線上に配置されている。
【請求項６】
請求項５の照明装置であって、以下を特徴とするもの：
前記複数の点状光源は、前記直線上に等間隔で配置されている。
【請求項７】
請求項１の照明装置であって、以下を特徴とするもの：
前記コネクタは、それが接続する前記実装基板の一方と他方に取り付けられたコネクタハーフ同士の組み合わせからなり、前記コネクタハーフの少なくとも一方は、それが取り付けられた前記実装基板の端部より外側に突き出している。
【請求項８】
請求項１の照明装置であって、以下を特徴とするもの：
前記コネクタは、外面が明色を呈している
【請求項９】
請求項１の照明装置であって、以下を特徴とするもの：
複数の前記点状光源が電気的に直列に接続されている。
【請求項１０】
請求項１の照明装置であって、以下を特徴とするもの：
複数列の前記実装基板列が反射シートで覆われ、前記反射シートには前記点状光源と前記コネクタを露出させる通過開孔が形成されている。
【請求項１１】
請求項１の照明装置であって、以下を特徴とするもの：
前記点状光源は前記実装基板に実装された発光素子からなり、当該発光素子はレンズで覆われている。
【請求項１２】
請求項１１の照明装置であって、以下を特徴とするもの：
前記レンズが光拡散機能を備える。
【請求項１３】
請求項１２の照明装置であって、以下を特徴とするもの：
前記レンズは、前記実装基板側の面に表面粗し処理を施すことにより光拡散機能が付与されている。
【請求項１４】
請求項１１の照明装置であって、以下を特徴とするもの：
前記発光素子がＬＥＤである。
【請求項１５】
請求項１４の照明装置であって、以下を特徴とするもの：
前記ＬＥＤは、黄色の領域に発光ピークを持つ蛍光体を青色発光チップに塗布して白色発光としたものである。
【請求項１６】
請求項１４の照明装置であって、以下を特徴とするもの：
前記ＬＥＤは、緑色と赤色の領域に発光ピークを持つ蛍光体を青色発光チップに塗布して白色発光としたものである。
【請求項１７】
請求項１４の照明装置であって、以下を特徴とするもの：
前記ＬＥＤは、緑色の領域に発光ピークを持つ蛍光体を青色発光チップに塗布し、これに赤色発光チップを組み合わせて白色発光としたものである。
【請求項１８】
請求項１４の照明装置であって、以下を特徴とするもの：
前記ＬＥＤは、青、緑、赤の各色の発光チップを組み合わせて白色発光としたものである。
【請求項１９】
請求項１４の照明装置であって、以下を特徴とするもの：
前記ＬＥＤは、紫外光チップに蛍光体を組み合わせたものである。
【請求項２０】
請求項１９の照明装置であって、以下を特徴とするもの：
前記ＬＥＤは、青色、緑色、及び赤色の領域に発光ピークを持つ蛍光体を紫外光チップに塗布して白色発光としたものである。
【請求項２１】
表示装置であって、以下を特徴とするもの：
請求項１から２０のいずれかの照明装置と、前記照明装置からの光を受ける表示パネルと、を含む。
【請求項２２】
請求項２１の表示装置であって、以下を特徴とするもの：
前記表示パネルが液晶表示パネルである。
【請求項２３】
テレビジョン受像機であって、以下を特徴とするもの：
請求項２１の表示装置を備える。
【発明の詳細な説明】
【技術分野】
【０００１】
照明装置、表示装置、及びテレビジョン受像器
【背景技術】
【０００２】
自らは発光しない表示パネル、例えば液晶表示パネルを使用する表示装置には、通常、表示パネルを背後から照らす照明装置が組み合わせられる。この種の照明装置の光源には、冷陰極管や発光素子など、様々な種類のものが用いられる。発光素子には、発光ダイオード（以下「ＬＥＤ」と称する）、有機エレクトロルミネセンス素子、無機エレクトロルミネセンス素子などがあるが、現今ではＬＥＤが主流となっている。特許文献１に記載された照明装置の光源もＬＥＤである。【０００３】
特許文献１記載の照明装置では、図６に示すように、実装基板１２１にＬＥＤ１２２が実装され、さらに、ＬＥＤ１２２を覆うレンズ１２４が実装基板１２１に取り付けられている。実装基板１２１、ＬＥＤ１２２、及びレンズ１２４が発光モジュールｍｊを構成する。多数の発光モジュールｍｊがマトリックス状に配置され、面状光源を構成する。【０００４】
特許文献１に記載された照明装置では点状の光源が多数並べられているが、特許文献２に記載された照明装置では冷陰極管のような線状の光源が多数並べられている。このように複数の光源を並べた照明装置を表示装置に組み合わせる場合、光源からの光が直接照明装置に入ると画面に明るさのムラが生じるので、光源と表示装置の間に、光を拡散させる拡散板が配置される。拡散板は、特許文献２にも見られるように、照明装置の一部として構成されるのが一般的である。【０００５】
点状の光源が多数並べられて面状光源が構成されるに際し、照明を要する面積が広くなると、それぞれ複数の点状光源を支持する実装基板が複数並べられる構成が必要になることがある。特許文献３にそのような構成の一例が示されている。
【先行技術文献】
【特許文献】
【０００６】
【特許文献１】特開２００８−４１５４６
【特許文献２】特開２００５−１９０６５
【特許文献３】特開２００６−３０１２０９
【発明の概要】
【発明が解決しようとする課題】
【０００７】
特許文献３記載の照明装置のように、点状光源を支持する実装基板が複数並べられて面状光源が構成される場合、実装基板同士がコネクタで接続される。このコネクタが、拡散板の輝度にムラをもたらすことがある。それを図７及び図８に基づき説明する。【０００８】
図７に示す実装基板１０１は短冊状であり、その長手方向に沿って発光素子からなる点状光源１０２が複数個、所定間隔で実装されている。実装基板１０１には点状光源１０２を５個支持するものと８個支持するものがあり、それらが直列に並べられた上、コネクタ１０３で接続され、実装基板列１０４が構成される。この実装基板列１０４が複数列（図では７列）、並列に配置され、全体として矩形の面状光源が形成される。【０００９】
図８に示すのは上記面状光源で照明される拡散板１０５である。コネクタ１０３は光の反射率が低いため、暗部Ｓとして見える。図７のようにコネクタ１０３の位置が揃っていると、暗部Ｓが一直線に並び、拡散板の輝度のムラが明確に認識されることになる。【００１０】
本発明は上記の点に鑑みなされたものであり、拡散板と、前記拡散板を支持するシャーシと、それぞれが複数の点状光源を支持する複数の実装基板により構成される光源とを備えた照明装置において、前記実装基板同士を接続するコネクタによる拡散板の輝度のムラが、比較的認識されにくい形で現れるようにすることを目的とする。
【課題を解決するための手段】
【００１１】
本発明の好ましい実施形態によれば、拡散板と、前記拡散板を支持するシャーシと、前記シャーシ上に配置され、それぞれが複数の点状光源を支持する複数の実装基板により構成される光源とを含む照明装置において、複数枚の前記実装基板がコネクタで接続されて実装基板列が構成され、前記実装基板列が複数列、並列に配置され、前記実装基板列が並ぶ方向における前記コネクタの位置は直線的に揃っていない。【００１２】
この構成によると、コネクタの位置が直線的に揃っていないので、コネクタが拡散板にもたらす暗部が分散され、拡散板の輝度のムラが比較的認識されにくくなる。【００１３】
本発明の好ましい実施形態によれば、上記構成の照明装置において、前記シャーシは平面形状が矩形であり、前記実装基板列は前記シャーシの長手方向と平行に配置される。【００１４】
本発明の好ましい実施形態によれば、上記構成の照明装置において、前記実装基板は長手方向を有する形状であり、複数枚の前記実装基板が長手方向に整列せしめられて前記実装基板列が構成される。【００１５】
この構成によると、長さの異なる、言い換えれば配置された点状光源の個数が異なる実装基板を複数種類用意しておけば、サイズの異なる照明装置を構成する場合にも、組み合わせる実装基板の種類を変えてコネクタで接続することにより、容易に対応可能となる。従って、照明装置のサイズ毎に専用の実装基板を設計する必要がなく、コスト削減に寄与する。【００１６】
本発明の好ましい実施形態によれば、上記構成の照明装置において、長短２枚の前記実装基板により前記実装基板列が構成され、前記長短２枚の実装基板の配置が逆転している実装基板列が混在せしめられる。【００１７】
この構成によると、コネクタの位置が直線的に揃わないようにする設計を容易に実現できる。また、実装基板の種類が２種類で済むことから、大きなコストアップにはつながらない。【００１８】
本発明の好ましい実施形態によれば、上記構成の照明装置において、前記複数の点状光源は、前記実装基板の長手方向と平行な直線上に配置されている。【００１９】
この構成によると、実装基板の設置態様により点状光源の設置態様が一義的に決まるため、点状光源の配置の設計が容易になる。【００２０】
本発明の好ましい実施形態によれば、上記構成の照明装置において、前記複数の点状光源は、前記直線上に等間隔で配置されている。【００２１】
この構成によると、実装基板によって点状光源の配置態様が変更されないため、照明装置のサイズが変更されても実装基板を使いまわすことが可能となる。【００２２】
本発明の好ましい実施形態によれば、上記構成の照明装置において、前記コネクタは、それが接続する前記実装基板の一方と他方に取り付けられたコネクタハーフ同士の組み合わせからなり、前記コネクタハーフの少なくとも一方は、それが取り付けられた前記実装基板の端部より外側に突き出している。【００２３】
この構成によると、隣り合う実装基板同士をコネクタで接続するとき、コネクタハーフの少なくとも一方は、それが取り付けられた実装基板の端部より外側に突き出しているから、コネクタハーフ同士の接続を容易に行うことができる。【００２４】
本発明の好ましい実施形態によれば、上記構成の照明装置において、前記コネクタは、外面が明色を呈している。【００２５】
この構成によると、コネクタの光反射率が高まり、コネクタが光を吸収しにくくなるので、拡散板の輝度ムラ発生を抑制できる。【００２６】
本発明の好ましい実施形態によれば、上記構成の照明装置において、複数の前記点状光源が電気的に直列に接続されている。【００２７】
この構成によると、各点状光源に供給される電流を同一とすることができ、各点状光源からの発光量を均一化することができるため、拡散板の輝度均一性を向上させることができる。【００２８】
本発明の好ましい実施形態によれば、上記構成の照明装置において、複数列の前記実装基板列が反射シートで覆われ、前記反射シートには前記点光源と前記コネクタを露出させる通過開孔が形成されている。【００２９】
この構成によると、反射シートにより拡散板の輝度を高めることができる。【００３０】
本発明の好ましい実施形態によれば、上記構成の照明装置において、前記点状光源は前記実装基板に実装された発光素子からなり、当該発光素子はレンズで覆われている。【００３１】
この構成によると、光の指向性をレンズで調節できる点状光源が得られる。【００３２】
本発明の好ましい実施形態によれば、上記構成の照明装置において、前記レンズが光拡散機能を備える。【００３３】
この構成によると、発光素子から出射する光の広がりが大きくなり、広い面積を比較的少数の発光素子でカバーすることができる。【００３４】
本発明の好ましい実施形態によれば、上記構成の照明装置において、前記発光素子がＬＥＤである。【００３５】
この構成によると、近年高輝度化がめざましいＬＥＤを用いて、明るい照明装置を得ることができる。また、光源の長寿命化及び消費電力低減を図ることができる。【００３６】
本発明の好ましい実施形態によれば、上記構成の照明装置において、前記ＬＥＤは、黄色の領域に発光ピークを持つ蛍光体を青色発光チップに塗布して白色発光としたものである。【００３７】
本発明の好ましい実施形態によれば、上記構成の照明装置において、前記ＬＥＤは、緑色と赤色の領域に発光ピークを持つ蛍光体を青色発光チップに塗布して白色発光としたものである。【００３８】
本発明の好ましい実施形態によれば、上記構成の照明装置において、前記ＬＥＤは、緑色の領域に発光ピークを持つ蛍光体を青色発光チップに塗布し、これに赤色発光チップを組み合わせて白色発光としたものである。【００３９】
本発明の好ましい実施形態によれば、上記構成の照明装置において、前記ＬＥＤは、青、緑、赤の各色の発光チップを組み合わせて白色発光としたものである。【００４０】
白色発光するＬＥＤは、青味が勝ったりすることで色調にばらつきが生じやすい。本発明のように白色発光させれば、色調が全体として平均化され、ほぼ均一な色調の照明光を得ることができる。【００４１】
本発明の好ましい実施形態によれば、上記構成の照明装置において、前記ＬＥＤは、紫外光チップに蛍光体を組み合わせたものである。【００４２】
本発明の好ましい実施形態によれば、上記構成の照明装置において、前記ＬＥＤは、青色、緑色、及び赤色の領域に発光ピークを持つ蛍光体を紫外光チップに塗布して白色発光としたものである。【００４３】
紫外光チップを光源とする場合、色調にばらつきが生じやすいが、本発明の構成によれば、色調が全体として平均化され、ほぼ均一な色調の照明光を得ることができる。【００４４】
本発明の好ましい実施形態によれば、上記構成の照明装置と、前記照明装置からの光を受ける表示パネルと、を含む表示装置が構成される。【００４５】
この構成によると、輝度のムラが少ない表示装置を得ることができる。【００４６】
本発明の好ましい実施形態によれば、上記構成の表示装置において、前記表示パネルが液晶表示パネルである。【００４７】
この構成によると、輝度のムラが少ない液晶表示装置を得ることができる。【００４８】
本発明の好ましい実施形態によれば、上記構成の表示装置を備えるテレビジョン受像機が構成される。【００４９】
この構成によると、画面に輝度のムラが少ないテレビジョン受像器を得ることができる。
【発明の効果】
【００５０】
本発明によると、それぞれが複数の点光源を支持する実装基板を複数枚コネクタで接続実装基板列を複数列、並列に配置して面状光源を構成するに際し、コネクタが拡散板にもたらす暗部が分散されるから、拡散板の輝度のムラが目立ちにくい照明装置を得ることができる。
【図面の簡単な説明】
【００５１】
【図１】本発明の好ましい実施形態に係る照明装置を含む表示装置の分解斜視図である。
【図２】照明装置の部分断面図である。
【図３】実装基板配置構成を示す平面図である。
【図４】図３の配置構成の実装基板で照明された拡散板の平面図である。
【図５】テレビジョン受像器の分解斜視図である。
【図６】従来の照明装置の分解斜視図である。
【図７】実装基板配置構成例を示す平面図である。
【図８】図７の配置構成の実装基板で照明された拡散板の平面図である。
【図９】ＬＥＤの照射方向による照度の異なり方を示すグラフである。
【図１０】複数のＬＥＤの輝度の集合イメージを示す図である。
【発明を実施するための形態】
【００５２】
本発明の好ましい実施形態に係る照明装置を備えた表示装置の実施形態の構造を図１から図４に基づき説明する。図１において表示装置６９は、表示面が上向きになるように水平に置かれた状態で描かれている。
【００５３】
表示装置６９は、表示パネルとして液晶表示パネル５９を用いている。液晶表示パネル５９と、それを背後から照らすバックライトユニット４９は、１個のハウジング内に収容されている。ハウジングは表ハウジング部材ＨＧ１と裏ハウジング部材ＨＧ２を合わせて構成される。
【００５４】
液晶表示パネル５９は、薄膜トランジスタ（ＴＦＴ）等のスイッチング素子を含むアクティブマトリックス基板５１と、アクティブマトリックス基板５１に対向する対向基板５２を図示しないシール材を介在させて貼り合わせ、アクティブマトリックス基板５１と対向基板５２の間に液晶を注入して構成される。
【００５５】
アクティブマトリックス基板５１の受光面側と、対向基板５２の出射側には、それぞれ偏光フィルム５３が貼り付けられる。液晶表示パネル５９は液晶分子の傾きに起因する光透過率の変化を利用して画像を形成する。
【００５６】
本発明に係る照明装置が具体的な形をとったものであるバックライトユニット４９は、次の構成を備える。すなわちバックライトユニット４９は、発光モジュールＭＪ、シャーシ４１、大判の反射シート４２、拡散板４３、プリズムシート４４、及びマイクロレンズシート４５を含む。
【００５７】
シャーシ４１は、平面形状が矩形で、トレイのような形をしており、矩形の主平面の外周に立ち上がり壁が形成されている。
【００５８】
発光モジュールＭＪは、実装基板２１、実装基板２１上に配置された点状光源、点状光源を覆うレンズ２４、及び内蔵反射シート１１を含む。点状光源は実装基板２１に実装された発光素子からなる。実施形態における発光素子はＬＥＤ２２である。
【００５９】
レンズ２４は光拡散機能を備える。レンズ２４が備える光拡散機能の意義について説明する。例えば特許文献１記載の照明装置を考えた場合、図６の照明装置は、レンズ１２４が組み合わせられているとは言え、個々のＬＥＤ１２２の光の広がりが小さいので、輝度のムラをなくそうと思えば発光モジュールｍｊを高密度で多数配置する必要がある。このため部品コストや実装コストがかさみ、全体として高価なものとなる。
【００６０】
最近ではＬＥＤの高輝度化が進み、比較的少ない個数のＬＥＤで全画面分の光量をまかなうことが可能になっている。但し、高輝度のＬＥＤを疎らに配置したのでは輝度にムラが生じることを避けられないので、個々のＬＥＤに光拡散機能を備えたレンズを組み合わせて用いることが好ましい。本明細書では、光拡散機能を備えたレンズを「拡散レンズ」と称する。
【００６１】
図９は、単体のＬＥＤと拡散レンズ付きＬＥＤの、照射方向による照度（単位Ｌｕｘ）の異なり方を示すグラフである。単体のＬＥＤの場合、光軸の角度である９０°をピークとし、そこから離れるにつれ急激に照度が落ちて行く。これに対し拡散レンズ付きＬＥＤの場合、一定以上の照度を確保できる領域を広げ、光軸と異なる角度に照度のピークを設定することが可能である。なお、図の照度パターンは拡散レンズの設計によってどのようにでも変化させられることは言うまでもない。
【００６２】
複数のＬＥＤの輝度の集合イメージを図１０に示す。図中、実線の波形は拡散レンズ付きＬＥＤの輝度、点線の波形は単体のＬＥＤの輝度を表している。波形の中の水平線は、ピーク値の半分の輝度における波形の幅（半値幅）を示す。拡散レンズ付きＬＥＤの場合は、個々の波形を幅広にできるので、全体の集合としての輝度を、図の上方に実線で示すようにフラットな形にするのが容易である。しかしながら、単体のＬＥＤの場合、個々の波形は、高さがある一方、幅は狭く、それらを集合した輝度に波が生じることを避けられない。このように輝度にムラがある画像は好ましくないので、拡散レンズ付きＬＥＤの採用はほぼ必然となる。
【００６３】
上記の点に鑑み、発光モジュールＭＪは拡散レンズ２４を含むこととされている。
【００６４】
拡散レンズ２４の、実装基板２１に向き合う面にシボ加工のような表面粗し処理を施して光拡散機能を付与することもできる。これにより、一層良好な光の拡散を行うことが可能となる。
【００６５】
実装基板２１は短冊状であり、その上面の実装面２１Ｕには、実装基板２１の長手方向と平行な直線上に所定間隔で複数の電極（図示せず）が形成されており、この電極にＬＥＤ２２が実装されている。実装基板２１は複数のＬＥＤ２２に対する共通の基板となる。すなわち、ＬＥＤ２２と拡散レンズ２４を含む発光モジュールＭＪが複数個、図１及び図３に示す通り実装基板２１の長手方向と平行な直線上に所定間隔で、この場合は所定の等間隔で、配置される。実装基板２１は、カシメ、接着、ネジ止め、リベット止めなどの適宜手段でシャーシ４１に固定される。
【００６６】
複数のＬＥＤ２２が長手方向を有する形状の実装基板２１に配置され、当該実装基板２１がシャーシ４１に設置されることから、ＬＥＤ２２を１個ずつシャーシ４１に設置する場合に比べ、作業効率を向上させることができる。また複数のＬＥＤ２２は実装基板２１の長手方向と平行な直線上に配置されているから、実装基板２１の設置態様によりＬＥＤ２２の設置態様が一義的に決まるため、ＬＥＤ２２の配置の設計が容易になる。複数のＬＥＤ２２は直線上に等間隔で配置されているから、実装基板２１によってＬＥＤ２２の配置態様が変更されないため、バックライトユニット４９のサイズが変更されても実装基板２１を使いまわすことが可能となる。
【００６７】
実装基板２１と拡散レンズ２４の間に内蔵反射シート１１が配置される。内蔵反射シート１１は実装面２１Ｕの拡散レンズ２４の下面に向き合う位置に固定される。内蔵反射シート１１は実装基板２１よりも光の反射率が高い。内蔵反射シート１１も平面形状円形であり、拡散レンズ２４と同心円をなす。直径は内蔵反射シート１１の方が大きい。
【００６８】
内蔵反射シート１１は内部に多数の微細な気泡を有する発泡樹脂シートであって、気泡の界面反射を積極的に活用して光を反射するものであり、光の反射率が高い。ポリエチレンテレフタレート（ＰＥＴ）を材料とする、反射率９８％以上のシートが存在するので、そのようなシートを採用することが望ましい。内蔵反射シート１１には拡散レンズ２４の脚部２４ａを通す貫通穴が形成されている。
【００６９】
拡散レンズ２４は平面形状円形で、下面に複数の脚部２４ａを有し、この脚部２４ａを内蔵反射シート１１の貫通孔に通し、脚部先端を接着剤で実装基板２１の実装面２１Ｕに接着することにより実装基板２１に取り付けられる。脚部２４ａの存在により、実装基板２１と拡散レンズ２４の間に隙間が生じる。この隙間を通って流れる空気流により、ＬＥＤ２２は冷却される。なお、放熱の問題を解決できれば、拡散レンズの中にＬＥＤを埋め込んだ一体モールド形式の発光モジュールを用いることも可能である。
【００７０】
様々なタイプのＬＥＤをＬＥＤ２２として用いることができる。例えば、黄色の領域に発光ピークを持つ蛍光体を青色発光チップに塗布して白色発光としたＬＥＤを用いることができる。緑色と赤色の領域に発光ピークを持つ蛍光体を青色発光チップに塗布して白色発光としたＬＥＤを用いることもできる。緑色の領域に発光ピークを持つ蛍光体を青色発光チップに塗布し、これに赤色発光チップを組み合わせて白色発光としたＬＥＤを用いることもできる。青、緑、赤の各色の発光チップを組み合わせて白色発光としたＬＥＤを用いることもできる。
【００７１】
白色発光するＬＥＤは、青味が勝ったりすることで色調にばらつきが生じやすい。上述のように白色発光させれば、色調が全体として平均化され、ほぼ均一な色調の照明光を得ることができる。
【００７２】
他のタイプのＬＥＤとして、紫外光チップに蛍光体を組み合わせたもの、特に、青色、緑色、及び赤色の領域に発光ピークを持つ蛍光体を紫外光チップに塗布して白色発光としたものを用いることもできる。
【００７３】
紫外光チップを光源とする場合、色調にばらつきが生じやすいが、上述のように構成すれば、色調が全体として平均化され、ほぼ均一な色調の照明光を得ることができる。
【００７４】
実装基板２１として、１枚当たり８個の発光モジュールＭＪを並べた実装基板２１と、１枚当たり５個の発光モジュールＭＪを並べた実装基板２１の２種類の実装基板２１を用意する。長さを比較すれば、当然のことながら、前者は長く、後者は短い。これら長短２枚の実装基板２１を、長手方向に整列する形で並べ、コネクタ２５で接続して、実装基板列２６を構成する。各実装基板２１において、コネクタ２５による連結個所と、それに隣り合う発光モジュールＭＪの間隔は、隣り合う発光モジュールＭＪ同士の間隔に等しい。
【００７５】
コネクタ２５は雄側のコネクタハーフと雌側のコネクタハーフにより構成され、５個の発光モジュールＭＪを有する実装基板２１と８個の発光モジュールＭＪを有する実装基板２１の、互いに向かい合う端部にコネクタハーフの一方ずつが取り付けられる。コネクタハーフの少なくとも一方は、それが取り付けられた実装基板２１の端部より外側に突き出している。これにより、コネクタハーフ同士の接続を容易に行うことができる。ちなみに図１の実施形態では、両方のコネクタハーフがそれぞれの実装基板２１の端部から外側に突き出している。
【００７６】
実装基板列２６は、各列がシャーシ４１の長手方向と平行になる形で、合計７列が並列に配置される。実装基板２１における発光モジュールＭＪの並びはシャーシ４１の長辺方向、すなわち図１のＸ矢印の方向であり、実装基板列２６の並びはシャーシ４１の短辺方向、すなわち図１のＹ矢印の方向であるところから、発光モジュールＭＪとコネクタ２５はマトリックス状に並ぶことになる。そして７列の実装基板列２６は、１列毎に、長短２枚の実装基板２１の配置が逆転している。このため、基板列２６が並ぶ方向、すなわちＹ矢印方向におけるコネクタ２５の位置は、直線的に揃うことはなく、千鳥状の配置となる。
【００７７】
シャーシ４１には、それと相似の平面形状を有する反射シート４２が重ねられる。反射シート４２も内蔵反射シート１１と同様の発泡樹脂シートである。反射シート４２には、発光モジュールＭＪの位置に合わせて、拡散レンズ２４は通り抜けられるが内蔵反射シート１１は通り抜けられない大きさの円形の通過開孔４２Ｈ１が形成され、発光モジュールＭＪは通過開孔４２Ｈ１から露出する。また反射シート４２には、コネクタ２５の位置に合わせて、コネクタ２５を露出させる矩形の通過開孔４２Ｈ２が形成されている。
【００７８】
発光モジュールＭＪのＬＥＤ２２が点灯すると、ＬＥＤ２２から出射した光が拡散板４３を裏面から照射する。直接拡散板４３の方向に向かわない光は内蔵反射シート１１及び反射シート４２により拡散板４３の方に反射される。光は拡散板４３の内部で拡散されるため、外部からは、拡散板４３が比較的均一な輝度の面として見えることになる。
【００７９】
ＬＥＤ２２は、コネクタ２５で接続された実装基板２１のペア単位で、あるいは全てのＬＥＤ２２を一括して、電気的に直列接続する構成とすることができる。このようにすれば、各ＬＥＤ２２に供給される電流を同一とすることができ、各ＬＥＤ２２からの発光量を均一化することができるため、拡散板４３の輝度均一性を向上させることができる。
【００８０】
反射シート４２から露出しているコネクタ２５は、図４に示す通り、拡散板４３の輝度面に暗部Ｓをもたらす。コネクタ２５の位置が直線的に揃っていないので、暗部Ｓは分散される。このため、拡散板４３の輝度のムラは比較的認識されにくい。
【００８１】
コネクタ２５の光反射率が高ければ、暗部Ｓは目立たなくなる。そこでコネクタ２５は、外面、すなわち実装基板２１同士を接続する状態で外部に露出する個所が明色を呈しているように構成される。具体的には、コネクタ２５の外殻部分の材質選定や塗装により、白、アイボリー、明るいグレイのような明色に仕上げる。これによりコネクタ２５の光反射率が高まり、コネクタ２５が光を吸収しにくくなるので、拡散板４３の輝度ムラ発生を抑制できる。
【００８２】
上記実施形態の実装基板配置構成は、発明の内容を限定するものではない。実装基板列２６の列数、１枚の実装基板２１が支持する発光モジュールＭＪの個数、発光モジュールＭＪのマトリックスパターンなど、自由に設定することができる。また上記実施形態では実装基板列２６における長短２枚の実装基板２１の配置を１列毎に逆転させたが、これとは別の方式で、長短２枚の実装基板２１の配置が逆転している実装基板列２６を混在させることもできる。例えば、最初の２列は左側の実装基板２１を長く、右側の実装基板２１を短くし、その次の２列は左側の実装基板２１を短く、右側の実装基板２１を長くし、これを繰り返す、といった方式にすることもできる。
【００８３】
図５に、表示装置６９を組み込むテレビジョン受像器の構成例を示す。テレビジョン受像器８９は、前部キャビネット９０と後部キャビネット９１を合わせて構成されるキャビネット内に表示装置６９と制御基板群９２を収納し、そのキャビネットをスタンド９３で支える構成となっている。
【００８４】
以上、本発明の実施形態につき説明したが、本発明の範囲はこれに限定されるものではなく、発明の主旨を逸脱しない範囲で種々の変更を加えて実施することができる。
【産業上の利用可能性】
【００８５】
本発明は、光源からの光を拡散板に照射する照明装置に広く利用可能である。また、前記照明装置を含む表示装置、及び前記表示装置を備えるテレビジョン受像器に広く利用可能である。
【符号の説明】
【００８６】
４９  バックライトユニット
４１  シャーシ
４３  拡散板
ＭＪ  発光モジュール
２１  実装基板
２２  ＬＥＤ
２４  拡散レンズ
１１  内蔵反射シート
２５  コネクタ
４２  反射シート
４２Ｈ１、４２Ｈ２  通過開孔
５９  液晶表示パネル
６９  表示装置
８９  テレビジョン受像器
【図１】
2011004623.tif 000003
【図２】
2011004623.tif 000004
【図３】
2011004623.tif 000005
【図４】
2011004623.tif 000006
【図５】
2011004623.tif 000007
【図６】
2011004623.tif 000008
【図７】
2011004623.tif 000009
【図８】
2011004623.tif 000010
【図９】
2011004623.tif 000011
【図１０】
2011004623.tif 000012
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
照明装置であって、以下を特徴とするもの：
拡散板と、前記拡散板を支持するシャーシと、前記シャーシ上に配置され、それぞれが複数の点状光源を支持する複数の実装基板により構成される光源とを含み、
複数枚の前記実装基板がコネクタで接続されて実装基板列が構成され、
前記実装基板列は反射シートで覆われ、
前記コネクタは前記反射シートから露出し、前記反射シートから露出している前記コネクタは前記拡散板の輝度面に暗部をもたらすものであり、
前記実装基板列が複数列、並列に配置され、
前記実装基板列が並ぶ方向における前記コネクタの位置は直線的に揃っていない。
【請求項２】
請求項１の照明装置であって、以下を特徴とするもの：
前記シャーシは平面形状が矩形であり、前記実装基板列は前記シャーシの長手方向と平行に配置されている。
【請求項３】
請求項１または２の照明装置であって、以下を特徴とするもの：
前記実装基板は長手方向を有する形状であり、複数枚の前記実装基板が長手方向に整列せしめられて前記実装基板列が構成される。
【請求項４】
請求項３の照明装置であって、以下を特徴とするもの：
長短２枚の前記実装基板により前記実装基板列が構成され、
前記長短２枚の実装基板の配置が逆転している実装基板列が混在せしめられる。
【請求項５】
請求項３または４の照明装置であって、以下を特徴とするもの：
前記複数の点状光源は、前記実装基板の長手方向と平行な直線上に配置されている。
【請求項６】
請求項５の照明装置であって、以下を特徴とするもの：
前記複数の点状光源は、前記直線上に等間隔で配置されている。
【請求項７】
請求項１から６のいずれかの照明装置であって、以下を特徴とするもの：
前記コネクタは、それが接続する前記実装基板の一方と他方に取り付けられたコネクタハーフ同士の組み合わせからなり、前記コネクタハーフの少なくとも一方は、それが取り付けられた前記実装基板の端部より外側に突き出している。
【請求項８】
請求項１から７のいずれかの照明装置であって、以下を特徴とするもの：
前記コネクタは、外面が明色を呈している。
【請求項９】
請求項１から８のいずれかの照明装置であって、以下を特徴とするもの：
複数の前記点状光源が電気的に直列に接続されている。
【請求項１０】
請求項１から９のいずれかの照明装置であって、以下を特徴とするもの：
複数列の前記実装基板列が前記反射シートで覆われ、前記反射シートには前記点状光源と前記コネクタを露出させる通過開孔が形成されている。
【請求項１１】
請求項１から１０のいずれかの照明装置であって、以下を特徴とするもの：
前記点状光源は前記実装基板に実装された発光素子からなり、当該発光素子はレンズで覆われている。
【請求項１２】
請求項１１の照明装置であって、以下を特徴とするもの：
前記レンズが光拡散機能を備える。
【請求項１３】
請求項１２の照明装置であって、以下を特徴とするもの：
前記レンズは、前記実装基板側の面に表面粗し処理を施すことにより光拡散機能が付与されている。
【請求項１４】
請求項１１から１３のいずれかの照明装置であって、以下を特徴とするもの：
前記発光素子がＬＥＤである
【請求項１５】
請求項１４の照明装置であって、以下を特徴とするもの：
前記ＬＥＤは、黄色の領域に発光ピークを持つ蛍光体を青色発光チップに塗布して白色発光としたものである。
【請求項１６】
請求項１４の照明装置であって、以下を特徴とするもの：
前記ＬＥＤは、緑色と赤色の領域に発光ピークを持つ蛍光体を青色発光チップに塗布して白色発光としたものである。
【請求項１７】
請求項１４の照明装置であって、以下を特徴とするもの：
前記ＬＥＤは、緑色の領域に発光ピークを持つ蛍光体を青色発光チップに塗布し、これに赤色発光チップを組み合わせて白色発光としたものである。
【請求項１８】
請求項１４の照明装置であって、以下を特徴とするもの：
前記ＬＥＤは、青、緑、赤の各色の発光チップを組み合わせて白色発光としたものである。
【請求項１９】
請求項１４の照明装置であって、以下を特徴とするもの：
前記ＬＥＤは、紫外光チップに蛍光体を組み合わせたものである。
【請求項２０】
請求項１９の照明装置であって、以下を特徴とするもの：
前記ＬＥＤは、青色、緑色、及び赤色の領域に発光ピークを持つ蛍光体を紫外光チップに塗布して白色発光としたものである。
【請求項２１】
表示装置であって、以下を特徴とするもの：
請求項１から２０のいずれかの照明装置と、前記照明装置からの光を受ける表示パネルと、を含む。
【請求項２２】
請求項２１の表示装置であって、以下を特徴とするもの：
前記表示パネルが液晶表示パネルである。
【請求項２３】
テレビジョン受像器であって、以下を特徴とするもの：
請求項２１または２２の表示装置を備える。
【手続補正２】
【補正対象書類名】明細書
【補正対象項目名】００１１
【補正方法】変更
【補正の内容】
【００１１】
本発明の好ましい実施形態によれば、拡散板と、前記拡散板を支持するシャーシと、前記シャーシ上に配置され、それぞれが複数の点状光源を支持する複数の実装基板により構成される光源とを含む照明装置において、複数枚の前記実装基板がコネクタで接続されて実装基板列が構成され、前記実装基板列は反射シートで覆われ、前記コネクタは前記反射シートから露出し、前記反射シートから露出している前記コネクタは前記拡散板の輝度面に暗部をもたらすものであり、前記実装基板列が複数列、並列に配置され、前記実装基板列が並ぶ方向における前記コネクタの位置は直線的に揃っていない。
【国際調査報告】
2011004623.tif 000013
2011004623.tif 000014
2011004623.tif 000015
2011004623.tif 000016